(57)【要約】外科用鋸刃（１２）を着脱可能に保持する外科用鋸刃カプラ（１０）。外科用鋸刃（１２）は、直線または三日月形を含むがこれに限定されない種々の形状及び寸法から構成可能である。外科用鋸刃カプラ（１０）は、キャップ（１８）、ピン（２０）及び駆動体（２２）を有する。駆動体（２２）は、ハウジング（１４）内のモータに回転可能に連結される。キャップ（１８）とピン（２０）とは、外科用鋸刃（１２）の第１の端部（５８）を受け入れるスロット（４４）を形成する。また、キャップ（１８）とピン（２０）とは、外科用鋸刃（１２）の背刃（７４）を受け入れる溝を形成する。外科用鋸刃カプラ（１０）は、外科用鋸刃（１２）が除去され、交換されまたは挿入される開放位置と、閉止位置との間で移動可能である。
2006517425.tif 000002
【特許請求の範囲】
【請求項１】
モータに連結され外科用鋸刃１２を着脱可能に保持する外科用鋸刃カプラ１０であって、
ハウジング開口８２と該ハウジング開口８２に配置された軸受８０とを有し、カプラ１０を回転可能に受け入れるハウジング１４と、
前記軸受８０に配置されたキャップ８４と、前記キャップ８４は、キャップ開口９０を規定する第１の端部８６と、前記ハウジング開口８２を介して該キャップ８４の内側への移動を制限するリップ９２を有する第２の端部８８とを有し、
前記モータに連結され、該カプラ１０を介して前記刃１２に前記モータから動きを伝達する駆動体２２と、
上部２４と底部２８とを有し、前記駆動体２２に装着されたピン２０と、
前記ピン２０に配置され、前記ピン２０との間に連結スロット４４を規定し、第１の端部５８と第２の端部６０とを有する前記外科用鋸刃１２を受け入れるキャップ１８と、該カプラ１０は、前記刃１２が該カプラ１０から除去され、該カプラ１０内に配置され、または該カプラ１０に挿入され得る開放位置と、前記刃１２を該カプラ１０内に確保するための閉止位置とに、及び当該位置の間で移動可能である、を備えるカプラ１０。
【請求項２】
前記上部２４は、第１の直径を有する頂部３０を有する、請求項１に記載のカプラ１０。
【請求項３】
前記上部２４は、第２の直径を有する連結部３２を有する、請求項１に記載のカプラ１０。
【請求項４】
前記第１の直径は、前記第２の直径より小さい、請求項３に記載のカプラ１０。
【請求項５】
前記キャップ１８は、前記連結部３２を受け入れて確保するキャップ開口３４を含む、請求項４に記載のカプラ１０。
【請求項６】
前記キャップ１８と前記連結部３２とは、プレスフィッティングにより装着される、請求項４に記載のカプラ１０。
【請求項７】
前記上部２４は、円筒形である、請求項１に記載のカプラ１０。
【請求項８】
前記ピン２０は、円形の外縁部３６を有する円形部２６を有する、請求項１に記載のカプラ１０。
【請求項９】
前記円形部２６は、複数のピン開口３８を含む、請求項８に記載のカプラ１０。
【請求項１０】
前記複数のピン開口３８のそれぞれは、第１及び第２のアーチ状の側面４０Ａ，４０Ｂと第１及び第２の直線状の側面４２Ａ，４２Ｂを有する、請求項９に記載のカプラ１０。
【請求項１１】
前記円形部２６は、４つのピン開口３８Ａ，３８Ｂ，３８Ｃ，３８Ｄを含む、請求項９に記載のカプラ１０。
【請求項１２】
前記駆動体２２は、前記駆動体２２を前記モータに連結し、前記モータから該カプラ１０を介して前記刃１２に動きを伝達する被駆動部４６を有する、請求項１に記載のカプラ１０。
【請求項１３】
前記被駆動部４６は、第１の突起４７Ａと第２の突起４７Ｂとを有する、請求項１２に記載のカプラ１０。
【請求項１４】
前記駆動体２２は、ロック部４８を有する、請求項１２に記載のカプラ１０。
【請求項１５】
前記ロック部４８は、その上に配置された少なくとも１つのロック部材５２を有する上部表面５０を有する、請求項１４に記載のカプラ１０。
【請求項１６】
各ロック部材５２は、Ｕ字に形成されている、請求項１５に記載のカプラ１０。
【請求項１７】
前記ロック部４８は、４つのロック部材５２Ａ，５２Ｂ，５２Ｃ，５２Ｄを有する、請求項１５に記載のカプラ１０。
【請求項１８】
各ロック部材５２は、第１の嵌合突起５４Ａ、第２の嵌合突起５４Ｂ、及び中央の嵌合部５６を有する、請求項１５に記載のカプラ１０。
【請求項１９】
前記第１の端部５８は、ブレードスロット６６と、前記嵌合突起５４Ａ，５４Ｂの１つを受け入れるブレード開口６８とを有する、請求項１８に記載のカプラ１０。
【請求項２０】
前記刃１２は、前記開放位置で該カプラ１０内の連結スロット４４に配置され、前記ブレード開口６８が前記嵌合突起５４Ａ，５４Ｂと並ぶように前記連結部３２の周囲に配置された前記ブレードスロット６６を有する、請求項１９に記載のカプラ１０。
【請求項２１】
前記複数のピン開口３８のそれぞれは、前記第１及び第２の嵌合突起５４Ａ，５４Ｂと、前記中央の嵌合部５６の一部を受け入れて、前記閉止位置で該カプラ１０内に前記刃１２を確保する、請求項１９に記載のカプラ１０。
【請求項２２】
前記連結部３２は、前記キャップ１８を受け入れるレッジ７０を規定し、前記刃１２を受け入れる前記連結スロット４４に配置された背面部７２を形成する、請求項１９に記載のカプラ１０。
【請求項２３】
前記第２の端部６０は、複数の歯６４を有する切刃６２を有する、請求項１に記載のカプラ１０。
【請求項２４】
前記刃１２は、直線状の刃である、請求項１に記載のカプラ１０。
【請求項２５】
前記刃１２は、三日月形の刃である、請求項１に記載のカプラ１０。
【請求項２６】
前記刃１２は、扇形の刃である、請求項１に記載のカプラ１０。
【請求項２７】
前記刃１２は、口腔用の刃である、請求項１に記載のカプラ１０。
【発明の詳細な説明】
【技術分野】
【０００１】
本発明は、実質的に外科用切断装置に関し、より詳細には、外科用鋸刃を着脱可能に保持する外科用鋸刃カプラに関する。
【背景技術】
【０００２】
通常、外科処置時には、電動外科切断装置を使用する。通常、これらの装置は、ハンドルを有する。電気または空気圧モータがハンドル内に含まれる。モータは、周期的に駆動体を駆動する。外科用刃の一端は、駆動体に着脱可能に連結される。刃の他端は、複数の歯を有する切刃を有する。外科用刃は、種々の形状、例えば三日月形または直線から形成可能であり、典型的には、種々の位置で駆動体に装着可能である。通常、外科用刃は交換可能であり、かつ使い捨て可能である。
【０００３】
通常、クランプ構造が、刃を駆動体に着脱可能に連結するために使用される。力が外科用刃の切刃に印加されると、力は刃の反対側の端部に伝達される。このことは、クランプ構造を損なう効果を有する可能性があり、結果的に鋸刃の予期されない解放やずれとなる。
【０００４】
この問題を克服することを目的とする装置が、Ｊｏｅｐｅｒｔ  Ｌｉｍに１９９７年８月１９日に付与された特許文献１（’３０４特許）に開示されている。Ｌｉｍ特許に開示された装置は、２つのフランジを有する切断要素と、ベース面とベース面に隣接する溝を有する把っ手部材とを有する。相互に結合されると、フランジの一方は、ベース面に嵌合し、他のフランジは溝に嵌合する。しかし、鋸刃への第２のフランジの追加は、鋸刃の複雑さを増加し、そのため、鋸刃の費用を増加する。
【特許文献１】米国特許第５，６５８，３０４号公報
【発明の開示】
【発明が解決しようとする課題】
【０００５】
本発明は、上述した課題の１つ以上に向けられる。
【課題を解決するための手段】
【０００６】
外科用鋸刃を解放可能に保持する外科用鋸刃カプラ。外科用鋸刃は、直線または三日月形を含むがこれに限定されない種々の形状及び寸法から構成可能である。外科用鋸刃カプラは、キャップ、ピン及び駆動体を有する。駆動体は、ハウジング内のモータに回転可能に連結される。キャップとピンとは、外科用鋸刃の第１の端部を受け入れるスロットを形成する。また、キャップとピンとは、外科用鋸刃の背刃を受け入れる溝を形成する。外科用鋸刃カプラは、外科用鋸刃が除去され、交換されまたは挿入される開放位置と、閉止位置との間で移動可能である。
【０００７】
添付の図面に関して考察されるときに以下の詳細な説明を参照することにより、本発明の他の利点が良好に理解されるようになるので、本発明の他の利点は、容易に認識されるであろう。
【発明を実施するための最良の形態】
【０００８】
図面を参照して、実際には、本発明は、外科用鋸刃１２用の外科用鋸刃カプラ１０を提供する。以下に説明するように、外科用鋸刃１２は、三日月形の刃や直線状の刃のように、種々の形状及び寸法から構成可能である。外科用鋸刃カプラ１０は、一部がハウジング１４内に回転可能に収容され、ハウジング１４内に収容されたモータ（図示しない）に連結されている。モータは、例えば空気圧または電動の任意の好適なタイプから構成可能である。モータは、外科用鋸刃１２の動作を提供する。１つの実施形態では、モータは、周期的な直線動作を提供する。他の実施形態では、モータは、周期的な角動作（図１の矢印１６により示すように）を提供する。
【０００９】
図１、図２、図３及び図７を特に参照して、１つの実施形態では、カプラ１０は、キャップ１８、ピン２０及び駆動体２２を有する。カプラ１０は、図１、図２及び図７に示すような開放位置と図３に示すような閉止位置とに、及びこれらの位置の間で移動可能である。カプラ１０が開放位置にあるとき、外科用鋸刃１２は、除去され、配置され、またはカプラ１０に挿入可能である。外科用鋸刃１２を所定の位置に確保するために、カプラ１０は、閉止位置に移動され得る。
【００１０】
図５及び図６に示すように、ピン２０は、上部２４、円形部２６、及び底部２８を有する。上部２４は、頂部３０と連結部３２とを含む円筒形状を有する。頂部３０は、連結部３２より僅かに小さい直径を有する。図１及び図７に示すように、キャップ１８は、連結部３２を受け入れて確保するキャップ開口３４を有する。１つの実施形態では、ピン２０とキャップ１８とは、キャップ１８とピン２０の連結部３２との間のプレスフィットにより、互いに確保される。
【００１１】
図５及び図６に戻って、円形部２６は、円形の外縁部３６を有する。図示するように、円形部２６は、複数のピン開口３８を有する。図解された実施形態では、円形部２６は、４つのピン開口３８Ａ，３８Ｂ，３８Ｃ，３８Ｄを有する。１つの実施形態では、各開口３８は、第１及び第２のアーチ状側面４０Ａ，４０Ｂと第１及び第２の直線状側面４２Ａ，４２Ｂとを有する。
【００１２】
相互に結合されると、キャップ１８とピン２０の円形部２６とは、外科用鋸刃１２を受け入れる連結スロット４４を形成する。
【００１３】
図２、図７、図８及び図９を参照して、駆動体２２は、被駆動部４６とロック部４８とを有する。図解された実施形態では、被駆動部４６は、第１及び第２の突起を有し、モータと連結されて、モータからカプラ１０、すなわち外科用鋸刃１２に動きを伝達するように装着される。
【００１４】
ロック部４８は、上部表面５０と、上部表面５０に配置された少なくとも１つのロック部材５２とを有する。
【００１５】
図解された実施形態では、ロック部４８は、４つの嵌合部材５２Ａ，５２Ｂ，５２Ｃ，５２Ｄを有する。示されるように、各嵌合部材５２は、曲がった概略Ｕ字形状を有する。さらに、各嵌合部材５２は、第１及び第２の嵌合突起５４Ａ，５４Ｂと、中央の嵌合部５６とを有する。
【００１６】
カプラ１０が閉止位置にあるとき、第１及び第２の嵌合突起５４Ａ，５４Ｂの一部と各嵌合部材５２の中央の嵌合部５６とは、ピン２０のピン開口３８の１つを介して嵌合する。
【００１７】
１つの図解された実施形態では、外科用鋸刃１２は、図３及び図４に示すように、直線状の刃である。外科用鋸刃１２は、スライドして連結スロット４４に入る第１の端部５８を有し、カプラ１０により所定の位置にロックされる（下記参照）。第２の端部６０は、複数の歯６４を有する切刃６２を有する。
【００１８】
特に図４を参照して、第１の端部５８は、ブレードスロット６６と複数のブレード開口６８とを有する。図解された実施形態では、第１の端部５８は、５つのブレード開口６８Ａ，６８Ｂ，６８Ｃ，６８Ｄ，６８Ｅを有する。ブレード開口６８は、ロック部材５２の嵌合突起５４の１つを受け入れるように形成されている。
【００１９】
カプラ１０が開放位置にある場合には、外科用鋸刃１２は、キャップ１８とピン２０の間に形成される連結スロット４４に挿入可能である。ブレードスロット６６は、ピン２０の連結部３２の周囲を滑る。ブレード開口６８がロック部材５２の嵌合突起５４と並列するように、外科用鋸刃１２は、連結スロット４４内に配置可能である。
【００２０】
一旦外科用鋸刃１２が配置されると、カプラ１０は、閉成されるか閉止位置に移動され得る。特に図１４を参照して、カプラ１０が閉止位置にあるときの、カプラ１０と外科用鋸刃１２の拡大図である。示されるように、ピン２０の連結部３２は、レッジ７０を形成する。キャップ１８は、レッジ７０に載置されてピン２０の円形部２６と連結スロット４４の背面部７２を形成する。外科用鋸刃１２は、連結スロット４４に挿入される。
【００２１】
外科用鋸刃１２の第１の端部５８は、第２の溝７２の幅Ｙより僅かに小さい幅Ｘを有する。例えば、１つの実施形態では、外科用鋸刃１２は、０．０２５インチの幅を有し、第２の溝７２は、０．０２７インチの幅を有する。
【００２２】
力が、矢印Ｆ１またはＦ２の方向に外科用刃１２に印加されると、外科用鋸刃１２は、連結スロット４４内で傾く。外科用鋸刃１２が傾いている間、外科用鋸刃１２は、２つの部位で連結スロット４４に接触する。外科用鋸刃１２の背面部７２の隅部の１つは、キャップ１８またはピン２０のいずれかに接触する。外科用鋸刃１２の反対側の部位は、他のキャップ１８またはピン２０に接触する。このことは、カプラ１０内での外科用鋸刃１２のさらなる動きを防止し、印加された力がカプラ１０を開放するのを防止するのに役立つ。
【００２３】
さらに、ロック部材５２は、ピン開口３８を介してピン２０に挿入される。さらに、嵌合突起５４の少なくとも１つが、ブレード開口６８の１つを介して、外科用鋸刃１２の第１の端部５８に挿入される。図解された実施形態では、５つの嵌合突起５４が、ブレード開口６８を介して、外科用鋸刃１２の第１の端部５８に挿入される。これらの嵌合突起５４の第１及び第２の対は、２つのロック部材５２に対応する。中央の嵌合部５６の上部表面５０は、外科用鋸刃１２の第１の端部５８の表面と嵌合するかまたは接触する。このことは、外科用鋸刃カプラ１０が閉止位置にあるとき、外科用鋸刃１２をキャップ１８とピン２０の間の位置でロックするように作用する。
【００２４】
図１０、図１１、図１２及び図１３を参照して、外科用鋸刃１２は、三日月形の鋸刃１２’として示されている。三日月形の鋸刃１２’は、第１の端部５８’と第２の端部６０’とを有する曲がった本体部７６を有する。第１の端部５８’は、複数の歯６４’を有する切刃６２’を有する。ベース７８は、三日月形の鋸刃１２’の第２の端部６０’に結合される。ベース７８は、ブレードスロット６６’と複数の歯６４’とを有する。ベース７８は、上述した直線状の刃１２の第２の端部に類似し、同様に作動する。
【００２５】
１つの実施形態では、外科用鋸刃１２，１２’は、ステンレス鋼から形成される。
【００２６】
図３に戻って、さらに、カプラ１０は、ハウジング１４内でハウジング開口８２に挿入された軸受８０を有する。カップ８４は、軸受８０の中心に挿入される。カップ８４は、第１の端部８６と第２の端部８８とを有する。第１の端部８６は、キャップ開口９０を有する。リップ９２は、第２の端部８８に配置される。ピン２０の底部２８は、キャップ開口９０を通過する。リップ９２は、軸受８０に対向して配置され、カップ８４のさらなる内側への（図３で左側への）移動を防止する。ピン２０の底部２８とのプレスフィットを有するボタン９４は、底部２８とカップ８４の間に挿入される。バイアスばね９６がボタン９４とカップ８４の第１の端部８６との間に配置される。バイアスばね９６は、ボタン９４に、すなわちピン２９に対して、ピン２０を傾斜してカプラ１０に接近するように作用する。図解された実施形態では、バイアスばね９６は、カプラ１０に接近するように動作する。刃１２，１２’を挿入し、保持し、及び／又は交換するために、キャップ１８とピン２０は、ボタン９４を押すことにより（ばね９６により負荷される力に抗して）手動で開放される。ブレード１２，１２’が除去され、及び／又は挿入された後、ばね９６は、カプラ１０に接近するように動作し、従って刃１２，１２’を所定の位置にロックする。
【図面の簡単な説明】
【００２７】
【図１】本発明の実施の形態にかかる外科用鋸刃用の外科用鋸刃カプラの等角図である。
【図２】図１の外科用鋸刃カプラの側面図である。
【図３】図１の外科用鋸刃カプラと直線状の鋸刃の切断図である。
【図４】図１の外科用鋸刃カプラ用の鋸刃の第１の端部の図である。
【図５】本発明の実施の形態にかかる図１の外科用鋸刃カプラのピンの上面図である。
【図６】図５のピンの側面図である。
【図７】開放位置の図１の外科用鋸刃カプラの拡大図である。
【図８】本発明の実施の形態にかかる図１の外科用鋸刃カプラの駆動体の上面図である。
【図９】図８の駆動体の側面図である。
【図１０】本発明の実施の形態にかかる外科用鋸刃カプラと三日月形の鋸刃の側面図である。
【図１１】図１０の外科用鋸刃カプラと三日月形の鋸刃の切断図である。
【図１２】図１１の三日月形の鋸刃の等角図である。
【図１３】図１１の三日月形の鋸刃の底面図である。
【図１４】本発明の実施の形態にかかる図１の外科用鋸刃カプラの一部の拡大図である。
【図１】
2006517425.tif 000003
【図２】
2006517425.tif 000004
【図３】
2006517425.tif 000005
【図４】
2006517425.tif 000006
【図５】
2006517425.tif 000007
【図６】
2006517425.tif 000008
【図７】
2006517425.tif 000009
【図８】
2006517425.tif 000010
【図９】
2006517425.tif 000011
【図１０】
2006517425.tif 000012
【図１１】
2006517425.tif 000013
【図１２】
2006517425.tif 000014
【図１３】
2006517425.tif 000015
【図１４】
2006517425.tif 000016
【国際調査報告】
2006517425.tif 000017
2006517425.tif 000018
2006517425.tif 000019